(57)【要約】【課題】複数のリード線の間での電磁妨害を抑制することに有利な貯湯式給湯機を提供する。【解決手段】貯湯式給湯機は、貯湯タンクと、第一電気部品と、第二電気部品と、貯湯タンク、第一電気部品、及び第二電気部品を収納する外装ケースと、外装ケース内に配置された金属製の桟６と、第一電気部品と第二電気部品との間を接続するリード線７とを備える。外装ケースは、金属製の外装パネル１０を有する。桟６の長手方向に対して垂直な断面において、桟６は、外装パネル１０の内面に接する接触部６ａと、外装パネル１０から離れた位置にある離隔部６ｂと、接触部６ａと離隔部６ｂとの間を繋ぐ接続部６ｃとを有する。外装パネル１０と、離隔部６ｂと、接続部６ｃとによって囲まれる空間である配線用スペース１４にリード線７の少なくとも一部が配置されている。【選択図】図２
2019152346.tif 000002
【特許請求の範囲】
【請求項１】
貯湯タンクと、
第一電気部品と、
第二電気部品と、
前記貯湯タンク、前記第一電気部品、及び前記第二電気部品を収納する外装ケースと、
前記外装ケース内に配置された金属製の桟と、
前記第一電気部品と前記第二電気部品との間を接続するリード線と、
を備え、
前記外装ケースは、金属製の外装パネルを有し、
前記桟の長手方向に対して垂直な断面において、前記桟は、前記外装パネルの内面に接する接触部と、前記外装パネルから離れた位置にある離隔部と、前記接触部と前記離隔部との間を繋ぐ接続部とを有し、
前記外装パネルと、前記離隔部と、前記接続部とによって囲まれる空間である配線用スペースに前記リード線の少なくとも一部が配置されている貯湯式給湯機。
【請求項２】
前記桟の長手方向に対して垂直な断面において、前記桟は、前記離隔部から前記外装パネルの内面に向かって突出する突出部を有し、
前記配線用スペースは、前記外装パネルと、前記離隔部と、前記接続部と、前記突出部とによって囲まれる請求項１に記載の貯湯式給湯機。
【請求項３】
一つの前記桟により複数の前記配線用スペースが形成されている請求項１または請求項２に記載の貯湯式給湯機。
【請求項４】
前記複数の前記配線用スペースは、第一スペース及び第二スペースを含み、
前記桟の長手方向に対して垂直な断面において、前記第一スペースの面積が前記第二スペースの面積よりも大きく、
前記第一スペースに配置された前記リード線は、電力を供給する配線であり、
前記第二スペースに配置された前記リード線は、信号を伝える配線である請求項３に記載の貯湯式給湯機。
【請求項５】
前記桟に対して前記リード線を固定する固定用部品を備える請求項１から請求項４のいずれか一項に記載の貯湯式給湯機。
【請求項６】
前記外装パネルは、前記外装ケースの一面を形成しており、
前記外装パネルは、前記外装ケースの本体から取り外し可能であり、
前記桟は、前記外装ケースの前記本体に取り付けられている請求項１から請求項５のいずれか一項に記載の貯湯式給湯機。
【請求項７】
前記桟と平行に前記外装ケースの前記本体に取り付けられた第二桟を備え、
前記外装パネルは、ネジにより前記第二桟に固定され、
前記第二桟には前記リード線が配置されていない請求項６に記載の貯湯式給湯機。
【請求項８】
前記第一電気部品または前記第二電気部品と前記リード線との接続位置よりも低い位置に前記配線用スペースがある請求項１から請求項７のいずれか一項に記載の貯湯式給湯機。
【請求項９】
前記桟の長手方向に対して垂直な断面において、前記桟は、前記離隔部に対向する対向部を有し、
前記配線用スペースの少なくとも一部は、前記離隔部と、前記接続部と、前記対向部とによって囲まれる請求項１から請求項８のいずれか一項に記載の貯湯式給湯機。
【発明の詳細な説明】
【技術分野】
【０００１】
本発明は、貯湯式給湯機に関する。
【背景技術】
【０００２】
加熱手段により水を加熱して得られた高温の湯を貯湯タンクに貯留し、この貯湯タンクから必要時に浴槽、シャワー、台所、洗面所の蛇口などの必要箇所に湯を供給するように構成された貯湯式給湯機が広く用いられている（例えば、特許文献１参照）。従来の貯湯式給湯機は、貯湯タンクユニットの外装ケース内にて、機能部品と制御用基板との間をリード線で接続している。
【先行技術文献】
【特許文献】
【０００３】
【特許文献１】実開昭６０−９２０５６号公報
【発明の概要】
【発明が解決しようとする課題】
【０００４】
例えば、制御弁を駆動する電力を供給する電源線と、センサ等の信号線とでは、電位が異なる。電位の異なるリード線を並行して配置すると、電磁妨害を引き起こす原因になる。電磁妨害を防止するために、例えば、電位の異なるリード線を十分に離して配置することが必要になる場合がある。そのような場合、複数の配線経路が必要になることがあり、部品点数と組立作業量の増加を招いている。
【０００５】
本発明は、上述のような課題を解決するためになされたもので、複数のリード線の間での電磁妨害を抑制することに有利な貯湯式給湯機を提供することを目的とする。
【課題を解決するための手段】
【０００６】
本発明に係る貯湯式給湯機は、貯湯タンクと、第一電気部品と、第二電気部品と、貯湯タンク、第一電気部品、及び第二電気部品を収納する外装ケースと、外装ケース内に配置された金属製の桟と、第一電気部品と第二電気部品との間を接続するリード線と、を備え、外装ケースは、金属製の外装パネルを有し、桟の長手方向に対して垂直な断面において、桟は、外装パネルの内面に接する接触部と、外装パネルから離れた位置にある離隔部と、接触部と離隔部との間を繋ぐ接続部とを有し、外装パネルと、離隔部と、接続部とによって囲まれる空間である配線用スペースにリード線の少なくとも一部が配置されているものである。
【発明の効果】
【０００７】
本発明によれば、複数のリード線の間での電磁妨害を抑制することに有利な貯湯式給湯機を提供することが可能となる。
【図面の簡単な説明】
【０００８】
【図１】実施の形態１による貯湯式給湯機を示す正面図である。
【図２】外装パネルをケース本体に取り付けた状態で、図１中のＡ−Ａ線の位置で桟及び外装パネルを切断した断面図である。
【図３】実施の形態１による第一変形例を示す断面図である。
【図４】実施の形態１による第二変形例を示す断面図である。
【図５】第二変形例の貯湯式給湯機の第二電気部品とその近くの桟とを示す斜視図である。
【図６】実施の形態１による第三変形例を示す断面図である。
【発明を実施するための形態】
【０００９】
以下、図面を参照して実施の形態について説明する。各図において共通または対応する要素には、同一の符号を付して、重複する説明を簡略化または省略する。本開示は、以下の実施の形態で説明する各構成のうち、組み合わせ可能な構成のあらゆる組み合わせを含み得る。
【００１０】
実施の形態１．
図１は、実施の形態１による貯湯式給湯機を示す正面図である。図１に示すように、貯湯式給湯機１は、貯湯タンク２と、第一電気部品３と、第二電気部品４と、外装ケース５と、桟６と、リード線７，８とを備える。外装ケース５は、貯湯タンク２、第一電気部品３、及び第二電気部品４を収納する。桟６は、外装ケース５内に配置されている。桟６は、金属製である。
【００１１】
外装ケース５は、ケース本体９及び外装パネル１０を備える。外装パネル１０は、ケース本体９から取り外し可能である。図１は、外装パネル１０をケース本体９から取り外した状態を示している。外装パネル１０をケース本体９に取り付けると、外装パネル１０は、外装ケース５の一面を形成する。本実施の形態では、外装パネル１０は、外装ケース５の前面すなわち正面を形成する。外装パネル１０は、金属製である。ケース本体９の少なくとも一部は、金属製であることが好ましい。外装ケース５の全体形状は、直方体状である。
【００１２】
桟６は、ケース本体９に取り付けられている。桟６は、水平方向に延びる。桟６の一端は、ケース本体９の第一側面９ａに連結されている。桟６の他端は、ケース本体９の、第一側面９ａとは反対側の第二側面９ｂに連結されている。
【００１３】
本実施の形態の貯湯式給湯機１は、桟６と平行にケース本体９に取り付けられた第二桟１１を備える。第二桟１１は、桟６よりも高い位置にある。第二桟１１の一端は、ケース本体９の第一側面９ａに連結されている。第二桟１１の他端は、ケース本体９の、第一側面９ａとは反対側の第二側面９ｂに連結されている。
【００１４】
外装パネル１０をケース本体９に取り付けると、桟６及び第二桟１１が外装パネル１０に接する。これにより、外装パネル１０を確実に補強することができ、外装パネル１０の外面に力が加えられたような場合に外装パネル１０が変形することを確実に防止できる。
【００１５】
外装パネル１０は、ネジ（図示省略）により第二桟１１に固定される。外装パネル１０は、桟６に対しては固定されない。桟６が外装パネル１０に固定されなくても、桟６が外装パネル１０に接することで、外装パネル１０の変形などを確実に防止できる。
【００１６】
貯湯タンク２は、湯水を貯留する。貯湯タンク２は、断熱材により覆われている。貯湯タンク２及びケース本体９は、複数の脚１２を介して、土台または床面に固定される。貯湯タンク２の水を加熱する加熱装置（図示省略）は、いかなる構成のものでもよい。加熱装置は、外装ケース５の外部に設置されてもよいし、外装ケース５の内部に設置されてもよい。加熱装置は、例えば、ヒートポンプ式加熱装置、電気ヒータ、燃焼式加熱装置、ソーラー加熱装置、燃料電池の廃熱による加熱装置のうちの一つまたは複数の組み合わせによるものでもよい。
【００１７】
リード線７，８は、第一電気部品３と第二電気部品４との間を接続するケーブルである。第一電気部品３は、例えば、貯湯式給湯機１の動作を制御する制御手段に相当する制御基板でもよい。第二電気部品４は、例えば、ポンプ、弁、及びセンサのうちの少なくとも一つを備える機能部品ユニットでもよい。第二電気部品４は、例えば、給湯温度を調整するために高温水と低温水とを混合する混合弁でもよい。リード線７，８の少なくとも一部は、桟６の長手方向に沿って配置されている。
【００１８】
本実施の形態の貯湯式給湯機１は、外装ケース５内に配置された機能部品ユニット１３をさらに備える。機能部品ユニット１３は、例えば、ポンプ、弁、センサ、及び熱交換器のうちの少なくとも一つを備えてもよい。機能部品ユニット１３は、浴槽の追い焚きをするための追焚熱交換器でもよい。外装ケース５内には、第一電気部品３、第二電気部品４及び機能部品ユニット１３以外の機能部品ユニットがさらに配置されていてもよい。
【００１９】
図２は、外装パネル１０をケース本体９に取り付けた状態で、図１中のＡ−Ａ線の位置で桟６及び外装パネル１０を切断した断面図である。すなわち、図２は、桟６の長手方向に対して垂直な断面に相当する。図２に示すように、桟６は、接触部６ａと、離隔部６ｂと、接続部６ｃとを備える。接触部６ａは、外装パネル１０の内面に接する。離隔部６ｂは、外装パネル１０から離れた位置にあり、外装パネル１０に接触していない。離隔部６ｂと外装パネル１０との間には空間がある。離隔部６ｂの少なくとも一部は、外装パネル１０に対して平行である。接続部６ｃは、接触部６ａと離隔部６ｂとの間を繋いでいる。接続部６ｃの少なくとも一部は、外装パネル１０に対して垂直である。離隔部６ｂは、接続部６ｃから上に向かって延びている。桟６は、一枚の薄い金属板をプレス加工または曲げ加工して作られたものでもよい。
【００２０】
配線用スペース１４は、外装パネル１０と、離隔部６ｂと、接続部６ｃとによって囲まれる空間である。リード線７は、その長手方向のうちの少なくとも一部分が配線用スペース１４内に配置されている。離隔部６ｂは、リード線７を介して外装パネル１０の反対側に位置する。リード線８は、配線用スペース１４には配置されていない。図２において、リード線７は、外装パネル１０、離隔部６ｂ、及び接続部６ｃによって三方を囲まれている。金属製の外装パネル１０、離隔部６ｂ、及び接続部６ｃがリード線７を囲むことで、静電遮蔽の効果が得られる。これにより、リード線７と、リード線８などの他のリード線との間で互いに磁界影響を受けることを確実に抑制できる。すなわち、リード線７と他のリード線との間での電磁妨害が発生することを確実に抑制できる。また、桟６を用いて上記効果を達成できるので、構成部品を増やす必要もない。
【００２１】
第二桟１１と外装パネル１０との間にはリード線は配置されていない。前述したように、外装パネル１０は、ネジにより第二桟１１に固定されているので、外装パネル１０を桟６にネジで固定する必要はない。本実施の形態であれば、外装パネル１０を固定するネジを桟６に対して締め付ける必要がないので、外装パネル１０の取り付け時にネジがリード線７に触れてリード線７を傷付けるような事態が発生することをより確実に防止できる。
【００２２】
図３は、実施の形態１による第一変形例を示す断面図であり、図２と同様の位置における断面図である。以下、図３に示す第一変形例について説明するが、前述した図２の例との相違点を中心に説明し、同一部分または相当部分については説明を簡略化または省略する。
【００２３】
図３に示すように、第一変形例の桟６は、離隔部６ｂから外装パネル１０の内面に向かって突出する突出部６ｄを有している。配線用スペース１４は、外装パネル１０と、離隔部６ｂと、接続部６ｃと、突出部６ｄとによって囲まれている。突出部６ｄは、リード線７を介して接続部６ｃの反対側に位置する。図３において、リード線７は、外装パネル１０、離隔部６ｂ、接続部６ｃ、及び突出部６ｄによって四方を囲まれている。すなわち、リード線７は、そのほぼ全周を外装パネル１０、離隔部６ｂ、接続部６ｃ、及び突出部６ｄによって囲まれている。これにより、より優れた静電遮蔽の効果が得られ、リード線７と他のリード線との間での電磁妨害が発生することをより確実に抑制できる。
【００２４】
この第一変形例においては、桟６に部分的に切欠きまたは開口部を設けてもよい。リード線７を配線用スペース１４に入れるときに、当該切欠きまたは開口部からリード線７を挿入することで、配線作業を容易に行うことができる。
【００２５】
図４は、実施の形態１による第二変形例を示す断面図であり、図２と同様の位置における断面図である。以下、図４に示す第二変形例について説明するが、前述した図２の例との相違点を中心に説明し、同一部分または相当部分については説明を簡略化または省略する。
【００２６】
図４に示すように、第二変形例の桟６は、離隔部６ｅと、接続部６ｆとを備える。離隔部６ｅは、外装パネル１０から離れた位置にあり、外装パネル１０に接触していない。離隔部６ｅと外装パネル１０との間には空間がある。離隔部６ｅの少なくとも一部は、外装パネル１０に対して平行である。接続部６ｆは、接触部６ａと離隔部６ｅとの間を繋いでいる。接続部６ｆの少なくとも一部は、外装パネル１０に対して垂直である。離隔部６ｅは、接続部６ｆから下に向かって延びている。
【００２７】
配線用スペース１５は、外装パネル１０と、離隔部６ｅと、接続部６ｆとによって囲まれる空間である。リード線８は、その長手方向のうちの少なくとも一部分が配線用スペース１５内に配置されている。離隔部６ｅは、リード線８を介して外装パネル１０の反対側に位置する。リード線７とリード線８との間は、接続部６ｃ，６ｆの二重の壁で隔てられている。図４において、リード線８は、外装パネル１０、離隔部６ｅ、及び接続部６ｆによって三方を囲まれている。金属製の外装パネル１０、離隔部６ｅ、及び接続部６ｆがリード線８を囲むことで、静電遮蔽の効果が得られる。これにより、リード線８と、リード線７などの他のリード線との間で互いに磁界影響を受けることを確実に抑制できる。すなわち、リード線８と他のリード線との間での電磁妨害が発生することを確実に抑制できる。
【００２８】
第二変形例では、一つの桟６により複数の配線用スペース１４，１５が形成されている。これにより、複数のリード線７，８を一つの桟６に配置することができる。リード線７，８をそれぞれ配線用スペース１４，１５に配置することで、リード線７，８の電位差が異なっていても、互いの磁界影響を受けることがないので、電磁妨害が発生することを確実に抑制できる。
【００２９】
第二変形例によれば、第一電気部品３と第二電気部品４との間を接続する二つのリード線７，８を距離的に離して配置する必要がないので、リード線７，８の両方を最適な経路（例えば、なるべく短い経路）で配線できる。また、組立作業性を向上することができる。
【００３０】
リード線７，８のいずれか一方が、センサなどの信号を伝える配線であり、いずれか他方がアクチュエータを駆動するための電力を伝える配線でもよい。ここでは、リード線７は信号を伝える配線であり、リード線８は電力を伝える配線であるものとする。電力を伝えるリード線８が配置された配線用スペース１５は、第一スペースに相当する。信号を伝えるリード線７が配置された配線用スペース１４は、第二スペースに相当する。この場合、桟６の長手方向に対して垂直な断面において、第一スペースの面積が第二スペースの面積よりも大きくなるように構成してもよい。例えば、図４中のＬ１の長さをＬ２の長さよりも長くすることで、第一スペースすなわち配線用スペース１５の面積を第二スペースすなわち配線用スペース１４の面積よりも大きくすることができる。電力を伝えるリード線８は、信号を伝えるリード線７よりも太いことが普通であるので、電力を伝えるリード線８が配置される第一スペースを大きくすることで、リード線８を第一スペース内により確実に収納できる。
【００３１】
なお、リード線７が電力を伝える配線であり、リード線８が信号を伝える配線である場合には、図４の断面において配線用スペース１４の面積を配線用スペース１５の面積よりも大きくすればよいことは言うまでもない。
【００３２】
図５は、第二変形例の貯湯式給湯機１の第二電気部品４とその近くの桟６とを示す斜視図である。この図５は、ケース本体９から外装パネル１０を取り外した状態を示している。図５に示す貯湯式給湯機１は、桟６に対してリード線７，８を固定する固定用部品１６，１７を備える。固定用部品１６は、離隔部６ｂに取り付けられている。固定用部品１６は、リード線７を固定する。固定用部品１７は、離隔部６ｅに取り付けられている。固定用部品１７は、リード線８を固定する。固定用部品１６，１７は、例えば、リード線７，８を挟持するクリップのような部品でもよい。
【００３３】
本実施の形態であれば、固定用部品１６，１７を備えたことで、以下の効果が得られる。リード線７，８を配線用スペース１４，１５内により確実に保持することができる。外装パネル１０をケース本体９に取り付ける際に、桟６の接触部６ａと外装パネル１０との間にリード線７，８が挟み込まれることをより確実に防止できる。リード線７，８の組立作業性を向上できる。
【００３４】
図５に示す例では、第二電気部品４とリード線７との接続位置１８よりも低い位置に配線用スペース１４がある。また、第二電気部品４とリード線８との接続位置１９よりも低い位置に配線用スペース１５がある。これにより、以下の効果が得られる。リード線７，８に例えば結露水のような水が付着する可能性がある。仮に、配線用スペース１４，１５が接続位置１８，１９よりも高い位置にあったとすると、リード線７，８に付着した水がリード線７，８を伝って接続位置１８，１９へ流下し、接続位置１８，１９が水に濡れて故障の原因になる可能性がある。これに対し、本実施の形態であれば、配線用スペース１４，１５が接続位置１８，１９よりも低い位置にあるので、リード線７，８に水が付着した場合であっても、その水が接続位置１８，１９の方へ流下することを確実に防止できる。
【００３５】
なお、第一電気部品３とリード線７，８との接続位置よりも低い位置に配線用スペース１４，１５を設けてもよい。その場合においても上記と同様の効果が得られる。
【００３６】
図６は、実施の形態１による第三変形例を示す断面図であり、図２と同様の位置における断面図である。以下、図６に示す第三変形例について説明するが、前述した図２の例との相違点を中心に説明し、同一部分または相当部分については説明を簡略化または省略する。
【００３７】
図６に示すように、第三変形例の桟６は、離隔部６ｂに対向する対向部６ｇを有している。対向部６ｇと離隔部６ｂとの間には空間がある。対向部６ｇは、接触部６ａから上に向かって突出している。対向部６ｇの少なくとも一部は、外装パネル１０に対して平行である。図示の例では、対向部６ｇの外面が外装パネル１０の内面に接しているが、対向部６ｇの外面と外装パネル１０の内面との間に隙間があってもよい。
【００３８】
配線用スペース１４の少なくとも一部は、離隔部６ｂと、接続部６ｃと、対向部６ｇとによって囲まれている。このため、第三変形例によれば、外装パネル１０を取り外した状態のときに、リード線７を配線用スペース１４内により確実に保持することができる。このため、外装パネル１０をケース本体９に取り付ける際に、桟６の接触部６ａと外装パネル１０との間にリード線７が挟み込まれることをより確実に防止できる。
【符号の説明】
【００３９】
１  貯湯式給湯機、  ２  貯湯タンク、  ３  第一電気部品、  ４  第二電気部品、  ５  外装ケース、  ６  桟、  ６ａ  接触部、  ６ｂ  離隔部、  ６ｃ  接続部、  ６ｄ  突出部、  ６ｅ  離隔部、  ６ｆ  接続部、  ６ｇ  対向部、  ７，８  リード線、  ９  ケース本体、  ９ａ  第一側面、  ９ｂ  第二側面、  １０  外装パネル、  １１  第二桟、  １２  脚、  １３  機能部品ユニット、  １４，１５  配線用スペース、  １６，１７  固定用部品、  １８，１９  接続位置
【図１】
2019152346.tif 000003
【図２】
2019152346.tif 000004
【図３】
2019152346.tif 000005
【図４】
2019152346.tif 000006
【図５】
2019152346.tif 000007
【図６】
2019152346.tif 000008